(57)【要約】      （修正有）【課題】砂浜で使用される大型石とゴミとを処理する移動車を提供する。【解決手段】前後対称のリミット板１４を含み、前後両側の前記リミット板の間には調整ロッド３３が回転できるように装着され、前記調整ロッドには砂すくい板１８が固定的に装着され、装置全体が移動する過程において、砂すくい板により砂やゴミなどをすくって選別機構１０１の中に送り、選別機構の中のスクリーンクロス１６がゴミをゴミ箱に送る過程の中で、動力機構が偏心輪３５を連動させて回転させ、偏心輪がスクリーンクロスとぶつかり、これによりスクリーンクロスが振れ、砂とゴミとを分離させ、砂すくい板の角度を調整する時、調整ロッドの伝動により掻き均し板が回転し、これにより掻き均し板がいつまでも砂と接触し、選別した砂に掻き均す操作を行う。【選択図】図１
2020204240.tif 000002
【特許請求の範囲】
【請求項１】
正面視で、前後対称のリミット板を含み、前後両側の前記リミット板の間には調整ロッドが回転できるように装着され、前記調整ロッドには砂すくい板が固定的に装着され、前記砂すくい板が前後両側の前記リミット板とスライドできるように装着され、前記砂すくい板の左側には砂とゴミを選別できる選別機構が設置され、前記砂すくい板が移動する過程において砂とゴミとを一緒に前記選別機構の中に送ることができ、前記選別機構は前後両側の前記リミット板の間に固定的に装着された固定ブロックを含み、前記固定ブロックの中には偏心輪ロッドが回転できるように装着され、前記偏心輪ロッドの右側には偏心輪が固定的に装着され、前記偏心輪ロッドと後側の前記リミット板との間には前記偏心輪ロッドを連動させて回転させることができる動力機構が設置され、前記選別機構はまたスクリーンクロスを含み、前記スクリーンクロスが砂とゴミとを選別でき、前記動力機構が前記スクリーンクロスの選別過程に動力を提供すると同時に前記偏心輪ロッドを連動させて回転させ、これにより前記偏心輪が回転し続けて前記スクリーンクロスとぶつかり、これにより前記スクリーンクロスが振れ、砂とゴミとを分離させ、
前記砂すくい板の右側には前記砂すくい板が砂の奥へ砂をすくう深さを調整できる調整機構が設置されたことを特徴とする砂浜で使用される大型石とゴミとを処理する移動車。
【請求項２】
前後両側の前記リミット板の左側面には固定板が固定的に装着され、前後両側の前記固定板の間には輪が回転できるように装着されていることを特徴とする請求項１に記載の砂浜で使用される大型石とゴミとを処理する移動車。
【請求項３】
前記砂すくい板の中には砂すくいチャンバが設置されていることを特徴とする請求項１に記載の砂浜で使用される大型石とゴミとを処理する移動車。
【請求項４】
前記選別機構は動力チャンバと、モータと、動力ロッドと、補助ロッドと、ローラーと、スクリーンクロスとにより組み合わせられ、
前記動力チャンバが後側の前記リミット板の中に設置され、前記動力チャンバの後側内壁の中にはモータが固定的に装着され、前記モータの前向きの出力軸の前側面には動力ロッドが固定的に装着され、前記動力ロッドが前方へ前側の前記リミット板の後側面まで伸びており、前後両側の前記リミット板の間のうち前記砂すくい板の下方に位置しているところには補助ロッドが回転できるように装着され、前記補助ロッドと前記動力ロッドにはローラーが固定的に装着され、前記スクリーンクロスが左右両側の前記ローラーの間に伝動できるように装着されていることを特徴とする請求項１に記載の砂浜で使用される大型石とゴミとを処理する移動車。
【請求項５】
前記動力機構は第一ベベルギヤと、回転ロッドと、第二ベベルギヤと、第一ギヤと、第二ギヤと、チェーンとにより組み合わせられ、
前記第一ベベルギヤが前記偏心輪ロッドの左側面に固定的に装着され、前記動力チャンバの前側内壁の中には後側の前記リミット板の前側面を貫通している回転ロッドが回転できるように装着され、前記回転ロッドの前側面には第二ベベルギヤが固定的に装着され、前記第二ベベルギヤと前記第一ベベルギヤとが噛み合っており、前記第二ベベルギヤの後側面には第一ギヤが固定的に装着され、前記動力ロッドのうち前記動力チャンバの中に位置しているところには第二ギヤが固定的に装着され、前記第二ギヤと前記第一ギヤとの間にはチェーンが伝動できるように装着されていることを特徴とする請求項１に記載の砂浜で使用される大型石とゴミとを処理する移動車。
【請求項６】
前後両側の前記リミット板の間のうち前記動力ロッドの下方に位置しているところにはゴミ箱が固定的に装着されていることを特徴とする請求項１に記載の砂浜で使用される大型石とゴミとを処理する移動車。
【請求項７】
前記調整機構は移動車と、ラックチャンバと、ラックと、回転チャンバと、旋転ロッドと、第三ギヤと、回転盤とにより組み合わせられ、
前記移動車が前記砂すくい板の右側に設置され、前記移動車が装置全体を連動させて移動させ、前記移動車の中には左方へ開口したラックチャンバが設置され、前記ラックチャンバの中にはラックがスライドできるように装着され、前記ラックチャンバの前側には回転チャンバが連通するように設置され、前記回転チャンバの中には前記移動車の頂面を貫通している旋転ロッドが回転できるように装着され、前記旋転ロッドの底面には第三ギヤが固定的に装着され、前記第三ギヤが前記ラックと噛み合っており、前記旋転ロッドの頂面には回転盤が固定的に装着されていることを特徴とする請求項１に記載の砂浜で使用される大型石とゴミとを処理する移動車。
【請求項８】
前記ラックの左側にはヒンジ連結ロッドがヒンジにより装着され、前記移動車の左側面には伸縮箱が固定的に装着され、前記伸縮箱の底面にはスライドチャンバが設置され、前記スライドチャンバの中にはスライドブロックがスライドできるように装着され、前記スライドブロックが前記ヒンジ連結ロッドとヒンジにより装着され、前記砂すくい板の右側面には連結ロッドがヒンジにより装着され、前記連結ロッドが前記スライドブロックとヒンジにより装着され、前記伸縮箱の中には左方へ開口した伸縮チャンバが設置され、前記伸縮チャンバの中には伸縮ロッドがスライドできるように装着され、前記伸縮ロッドが前記砂すくい板とヒンジにより装着されていることを特徴とする請求項１に記載の砂浜で使用される大型石とゴミとを処理する移動車。
【請求項９】
前記調整ロッドの前後両側には噛み合いチャンバが対称的に設置され、前記調整ロッドが伸びて前記噛み合いチャンバの中に入っており、前記調整ロッドの前後両側面には第三ベベルギヤが固定的に装着され、前記第三ベベルギヤの左側にはネジ山チャンバが設置され、前記ネジ山チャンバの左側内壁の中には前記噛み合いチャンバの左側内壁を貫通しているネジロッドが回転できるように装着され、前記ネジロッドの右側面には第四ベベルギヤが固定的に装着され、前記第四ベベルギヤが前記第三ベベルギヤと噛み合っており、前後両側の前記リミット板の間のうち前記ゴミ箱の右下方に位置しているところにはリミットブロックが固定的に装着され、前記リミットブロックの中には推し動かしチャンバが設置され、前記推し動かしチャンバが前記ネジ山チャンバと連通しており、前後両側の前記ネジ山チャンバの間には推し動かしブロックがスライドできるように装着され、前記推し動かしブロックが前記ネジロッドとネジ山により装着され、前記推し動かしブロックの左側面には推し動かしロッドが固定的に装着され、前記推し動かしロッドが前記リミットブロックとスライドできるように装着され、前後両側の前記リミット板の間のうち前記推し動かしロッドの左側に位置しているところには掻き均し板が回転できるように装着され、前記掻き均し板が前記推し動かしロッドとヒンジにより装着されていることを特徴とする請求項１に記載の砂浜で使用される大型石とゴミとを処理する移動車。
【発明の詳細な説明】
【技術分野】
【０００１】
本発明は砂浜ゴミの処理技術分野を取り上げて、具体的には砂浜で使用される大型石とゴミとを処理する移動車である。
【背景技術】
【０００２】
夏になると、人々が砂浜に行って遊ぶことが好きであり、砂浜でゴミを捨てる可能性があり、砂浜に比較的に大きい石が存在する可能性もあり、これらの石とゴミを処理する必要があり、それによって人々がもっと楽しく遊べる。
一般的に砂浜にあるゴミと石とを処理する時、人で拾う必要があり、砂浜の面積が広いため、清掃作業員の仕事量を増やし、また、一般の砂浜で使用される大型石とゴミとを処理する移動車は砂浜にあるゴミを処理する時、掘る砂の深さを調整にくいため、砂の奥に埋められたゴミを処理できなく、掘る砂の深さを調整した後、他に選別された後の砂を平らにする掻き均し板を調整することが必要である。
【先行技術文献】
【特許文献】
【０００３】
【特許文献１】中国特許出願公開第１０５９０８６６３号明細書
【発明の概要】
【発明が解決しようとする課題】
【０００４】
本発明は砂浜で使用される大型石とゴミとを処理する移動車を提供し、従来技術における上記欠点を解消することを目的とする。
【課題を解決するための手段】
【０００５】
本発明の実施例の砂浜で使用される大型石とゴミとを処理する移動車は、前後対称のリミット板を含み、前後両側の前記リミット板の間には調整ロッドが回転できるように装着され、前記調整ロッドには砂すくい板が固定的に装着され、前記砂すくい板が前後両側の前記リミット板とスライドできるように装着され、前記砂すくい板の左側には砂とゴミを選別できる選別機構が設置され、前記砂すくい板が移動する過程において砂とゴミとを一緒に前記選別機構の中に送ることができ、前記選別機構は前後両側の前記リミット板の間に固定的に装着された固定ブロックを含み、前記固定ブロックの中には偏心輪ロッドが回転できるように装着され、前記偏心輪ロッドの右側には偏心輪が固定的に装着され、前記偏心輪ロッドと後側の前記リミット板との間には前記偏心輪ロッドを連動させて回転させることができる動力機構が設置され、前記選別機構はまたスクリーンクロスを含み、前記スクリーンクロスが砂とゴミとを選別でき、前記動力機構が前記スクリーンクロスの選別過程に動力を提供すると同時に前記偏心輪ロッドを連動させて回転させ、これにより前記偏心輪が回転し続けて前記スクリーンクロスとぶつかり、これにより前記スクリーンクロスが振れ、砂とゴミとを分離させる。
【０００６】
前記砂すくい板の右側には前記砂すくい板が砂の奥へ砂をすくう深さを調整できる調整機構が設置された。
【０００７】
上記の技術プランに基づき、前後両側の前記リミット板の左側面には固定板が固定的に装着され、前後両側の前記固定板の間には輪が回転できるように装着されている。
【０００８】
上記の技術プランに基づき、前記砂すくい板の中には砂すくいチャンバが設置されている。
【０００９】
上記の技術プランに基づき、前記選別機構は動力チャンバと、モータと、動力ロッドと、補助ロッドと、ローラーと、スクリーンクロスとにより組み合わせられ、前記動力チャンバが後側の前記リミット板の中に設置され、前記動力チャンバの後側内壁の中にはモータが固定的に装着され、前記モータの前向きの出力軸の前側面には動力ロッドが固定的に装着され、前記動力ロッドが前方へ前側の前記リミット板の後側面まで伸びており、前後両側の前記リミット板の間のうち前記砂すくい板の下方に位置しているところには補助ロッドが回転できるように装着され、前記補助ロッドと前記動力ロッドにはローラーが固定的に装着され、前記スクリーンクロスが左右両側の前記ローラーの間に伝動できるように装着されている。
【００１０】
上記の技術プランに基づき、前記動力機構は第一ベベルギヤと、回転ロッドと、第二ベベルギヤと、第一ギヤと、第二ギヤと、チェーンとにより組み合わせられ、前記第一ベベルギヤが前記偏心輪ロッドの左側面に固定的に装着され、前記動力チャンバの前側内壁の中には後側の前記リミット板の前側面を貫通している回転ロッドが回転できるように装着され、前記回転ロッドの前側面には第二ベベルギヤが固定的に装着され、前記第二ベベルギヤと前記第一ベベルギヤとが噛み合っており、前記第二ベベルギヤの後側面には第一ギヤが固定的に装着され、前記動力ロッドのうち前記動力チャンバの中に位置しているところには第二ギヤが固定的に装着され、前記第二ギヤと前記第一ギヤとの間にはチェーンが伝動できるように装着されている。
【００１１】
上記の技術プランに基づき、前後両側の前記リミット板の間のうち前記動力ロッドの下方に位置しているところにはゴミ箱が固定的に装着されている。
【００１２】
上記の技術プランに基づき、前記調整機構は移動車と、ラックチャンバと、ラックと、回転チャンバと、旋転ロッドと、第三ギヤと、回転盤とにより組み合わせられ、前記移動車が前記砂すくい板の右側に設置され、前記移動車が装置全体を連動させて移動させ、前記移動車の中には左方へ開口したラックチャンバが設置され、前記ラックチャンバの中にはラックがスライドできるように装着され、前記ラックチャンバの前側には回転チャンバが連通するように設置され、前記回転チャンバの中には前記移動車の頂面を貫通している旋転ロッドが回転できるように装着され、前記旋転ロッドの底面には第三ギヤが固定的に装着され、前記第三ギヤが前記ラックと噛み合っており、前記旋転ロッドの頂面には回転盤が固定的に装着されている。
【００１３】
上記の技術プランに基づき、前記ラックの左側にはヒンジ連結ロッドがヒンジにより装着され、前記移動車の左側面には伸縮箱が固定的に装着され、前記伸縮箱の底面にはスライドチャンバが設置され、前記スライドチャンバの中にはスライドブロックがスライドできるように装着され、前記スライドブロックが前記ヒンジ連結ロッドとヒンジにより装着され、前記砂すくい板の右側面には連結ロッドがヒンジにより装着され、前記連結ロッドが前記スライドブロックとヒンジにより装着され、前記伸縮箱の中には左方へ開口した伸縮チャンバが設置され、前記伸縮チャンバの中には伸縮ロッドがスライドできるように装着され、前記伸縮ロッドが前記砂すくい板とヒンジにより装着されている。
【００１４】
上記の技術プランに基づき、前記調整ロッドの前後両側には噛み合いチャンバが対称的に設置され、前記調整ロッドが伸びて前記噛み合いチャンバの中に入っており、前記調整ロッドの前後両側面には第三ベベルギヤが固定的に装着され、前記第三ベベルギヤの左側にはネジ山チャンバが設置され、前記ネジ山チャンバの左側内壁の中には前記噛み合いチャンバの左側内壁を貫通しているネジロッドが回転できるように装着され、前記ネジロッドの右側面には第四ベベルギヤが固定的に装着され、前記第四ベベルギヤが前記第三ベベルギヤと噛み合っており、前後両側の前記リミット板の間のうち前記ゴミ箱の右下方に位置しているところにはリミットブロックが固定的に装着され、前記リミットブロックの中には推し動かしチャンバが設置され、前記推し動かしチャンバが前記ネジ山チャンバと連通しており、前後両側の前記ネジ山チャンバの間には推し動かしブロックがスライドできるように装着され、前記推し動かしブロックが前記ネジロッドとネジ山により装着され、前記推し動かしブロックの左側面には推し動かしロッドが固定的に装着され、前記推し動かしロッドが前記リミットブロックとスライドできるように装着され、前後両側の前記リミット板の間のうち前記推し動かしロッドの左側に位置しているところには掻き均し板が回転できるように装着され、前記掻き均し板が前記推し動かしロッドとヒンジにより装着されている。
【発明の効果】
【００１５】
本発明の有益効果は：本発明は移動車により装置全体を連動させて移動させ、装置全体が移動する過程において、砂すくい板により砂やゴミなどをすくって選別機構の中に送り、選別機構の中のスクリーンクロスがゴミをゴミ箱に送る過程の中で、動力機構が偏心輪を連動させて回転させ、偏心輪がスクリーンクロスとぶつかり、これによりスクリーンクロスが振れ、砂とゴミとを分離させ、砂がスクリーンクロスにより砂浜に落ち、ゴミがゴミ箱の中に送られ、労働力を減らし、また、調整機構が砂すくい板の角度を調整でき、更に砂すくい板が砂の中に入る深さを調整し、これにより砂の奥に埋められたゴミまで処理でき、砂すくい板の角度を調整する時、調整ロッドの伝動により掻き均し板が回転し、これにより掻き均し板がいつまでも砂と接触し、選別した砂に掻き均す操作を行い、普及する価値がある。
【図面の簡単な説明】
【００１６】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の構成模式図
【図２】図２は本発明の図１のＡのところの拡大模式図
【図３】図３は本発明の図１のＢ―Ｂ方向の断面構成模式図
【図４】図４は本発明の図２のＣ―Ｃ方向の断面構成模式図
【発明を実施するための形態】
【００１８】
図１〜４を参照し、本発明の実施例の砂浜で使用される大型石とゴミとを処理する移動車は、前後対称のリミット板１４を含み、前後両側の前記リミット板１４の間には調整ロッド３３が回転できるように装着され、前記調整ロッド３３には砂すくい板１８が固定的に装着され、前記砂すくい板１８が前後両側の前記リミット板１４とスライドできるように装着され、前記砂すくい板１８の左側には砂とゴミを選別できる選別機構１０１が設置され、前記砂すくい板１８が移動する過程において砂とゴミとを一緒に前記選別機構１０１の中に送ることができ、前記選別機構１０１は前後両側の前記リミット板１４の間に固定的に装着された固定ブロック３６を含み、前記固定ブロック３６の中には偏心輪ロッド３７が回転できるように装着され、前記偏心輪ロッド３７の右側には偏心輪３５が固定的に装着され、前記偏心輪ロッド３７と後側の前記リミット板１４との間には前記偏心輪ロッド３７を連動させて回転させることができる動力機構１０２が設置され、前記選別機構１０１はまたスクリーンクロス１６を含み、前記スクリーンクロス１６が砂とゴミとを選別でき、前記動力機構１０２が前記スクリーンクロス１６の選別過程に動力を提供すると同時に前記偏心輪ロッド３７を連動させて回転させ、これにより前記偏心輪３５が回転し続けて前記スクリーンクロス１６とぶつかり、これにより前記スクリーンクロス１６が振れ、砂とゴミとを分離させ、前記砂すくい板１８の右側には前記砂すくい板１８が砂の奥へ砂をすくう深さを調整できる調整機構１０３が設置された。  
【００１９】
また、一つの実施例の中で、前後両側の前記リミット板１４の左側面には固定板１１が固定的に装着され、前後両側の前記固定板１１の間には輪２８が回転できるように装着され、前記輪２８が装置全体の移動を安定させることができる。
【００２０】
また、一つの実施例の中で、前記砂すくい板１８の中には砂すくいチャンバ１７が設置され、前記砂すくい板１８が右方へ移動する過程において、砂やゴミなどを前記砂すくいチャンバ１７により前記選別機構１０１の中に送ることができる。
【００２１】
また、一つの実施例の中で、前記選別機構１０１はまた後側の前記リミット板１４の中に設置された動力チャンバ４８を含み、前記動力チャンバ４８の後側内壁の中にはモータ４７が固定的に装着され、前記モータ４７の前向きの出力軸の前側面には動力ロッド１３が固定的に装着され、前記動力ロッド１３が前方へ前側の前記リミット板１４の後側面まで伸びており、前後両側の前記リミット板１４の間のうち前記砂すくい板１８の下方に位置しているところには補助ロッド３４が回転できるように装着され、前記補助ロッド３４と前記動力ロッド１３にはローラー１５が固定的に装着され、前記スクリーンクロス１６が左右両側の前記ローラー１５の間に伝動できるように装着され、これにより砂とゴミとが絶えずにスクリーンクロス１６に輸送される時、モータ４７が起動して動力ロッド１３を連動させて回転させ、これによりローラー１５が回転し、スクリーンクロス１６が砂とゴミとを連動させて左方へ移動させる。
【００２２】
また、一つの実施例の中で、前記動力機構１０２は前記偏心輪ロッド３７の左側面に固定的に装着された第一ベベルギヤ４０を含み、前記動力チャンバ４８の前側内壁の中には後側の前記リミット板１４の前側面を貫通している回転ロッド３８が回転できるように装着され、前記回転ロッド３８の前側面には第二ベベルギヤ３９が固定的に装着され、前記第二ベベルギヤ３９と前記第一ベベルギヤ４０とが噛み合っており、前記第二ベベルギヤ３９の後側面には第一ギヤ５０が固定的に装着され、前記動力ロッド１３のうち前記動力チャンバ４８の中に位置しているところには第二ギヤ４６が固定的に装着され、前記第二ギヤ４６と前記第一ギヤ５０との間にはチェーン４９が伝動できるように装着され、これにより動力ロッド１３が回転して第二ギヤ４６を連動させて回転させる時、第二ギヤ４６がチェーン４９により第一ギヤ５０と回転ロッド３８とを連動させて回転させ、回転ロッド３８が回転して第二ベベルギヤ３９を連動させて回転させ、第二ベベルギヤ３９が第一ベベルギヤ４０との噛み合いにより偏心輪ロッド３７を連動させて回転させ、これにより偏心輪３５が回転してスクリーンクロス１６とぶつかり、これによりスクリーンクロス１６が振れて砂とゴミとを選別し、砂がスクリーンクロス１６により砂浜に落ちる。
【００２３】
また、一つの実施例の中で、前後両側の前記リミット板１４の間のうち前記動力ロッド１３の下方に位置しているところにはゴミ箱１２が固定的に装着され、前記スクリーンクロス１６の選別したゴミと石とが前記ゴミ箱１２の中に送られる。
【００２４】
また、一つの実施例の中で、前記調整機構１０３は前記砂すくい板１８の右側に設置された移動車５６を含み、前記移動車５６が装置全体を連動させて移動させ、前記移動車５６の中には左方へ開口したラックチャンバ２６が設置され、前記ラックチャンバ２６の中にはラック２９がスライドできるように装着され、前記ラックチャンバ２６の前側には回転チャンバ２７が連通するように設置され、前記回転チャンバ２７の中には前記移動車５６の頂面を貫通している旋転ロッド２３が回転できるように装着され、前記旋転ロッド２３の底面には第三ギヤ２５が固定的に装着され、前記第三ギヤ２５が前記ラック２９と噛み合っており、前記旋転ロッド２３の頂面には回転盤２４が固定的に装着され、これにより回転盤２４が回転する時、第三ギヤ２５が旋転ロッド２３と第三ギヤ２５とを連動させて回転させ、第三ギヤ２５がラック２９を連動させて左右に移動させる。
【００２５】
また、一つの実施例の中で、前記ラック２９の左側にはヒンジ連結ロッド３０がヒンジにより装着され、前記移動車５６の左側面には伸縮箱２０が固定的に装着され、前記伸縮箱２０の底面にはスライドチャンバ２１が設置され、前記スライドチャンバ２１の中にはスライドブロック３１がスライドできるように装着され、前記スライドブロック３１が前記ヒンジ連結ロッド３０とヒンジにより装着され、前記砂すくい板１８の右側面には連結ロッド３２がヒンジにより装着され、前記連結ロッド３２が前記スライドブロック３１とヒンジにより装着され、前記伸縮箱２０の中には左方へ開口した伸縮チャンバ２２が設置され、前記伸縮チャンバ２２の中には伸縮ロッド１９がスライドできるように装着され、前記伸縮ロッド１９が前記砂すくい板１８とヒンジにより装着され、これによりラック２９が左右に移動する時、ラック２９がヒンジ連結ロッド３０によりスライドブロック３１を連動させて左右に移動させ、スライドブロック３１が連結ロッド３２により砂すくい板１８を連動させて回転させ、砂すくい板１８が砂の中に入る深さを調整する。
【００２６】
また、一つの実施例の中で、前記調整ロッド３３の前後両側には噛み合いチャンバ５４が対称的に設置され、前記調整ロッド３３が伸びて前記噛み合いチャンバ５４の中に入っており、前記調整ロッド３３の前後両側面には第三ベベルギヤ５５が固定的に装着され、前記第三ベベルギヤ５５の左側にはネジ山チャンバ５８が設置され、前記ネジ山チャンバ５８の左側内壁の中には前記噛み合いチャンバ５４の左側内壁を貫通しているネジロッド５１が回転できるように装着され、前記ネジロッド５１の右側面には第四ベベルギヤ５３が固定的に装着され、前記第四ベベルギヤ５３が前記第三ベベルギヤ５５と噛み合っており、前後両側の前記リミット板１４の間のうち前記ゴミ箱１２の右下方に位置しているところにはリミットブロック４５が固定的に装着され、前記リミットブロック４５の中には推し動かしチャンバ４４が設置され、前記推し動かしチャンバ４４が前記ネジ山チャンバ５８と連通しており、前後両側の前記ネジ山チャンバ５８の間には推し動かしブロック４３がスライドできるように装着され、前記推し動かしブロック４３が前記ネジロッド５１とネジ山により装着され、前記推し動かしブロック４３の左側面には推し動かしロッド４２が固定的に装着され、前記推し動かしロッド４２が前記リミットブロック４５とスライドできるように装着され、前後両側の前記リミット板１４の間のうち前記推し動かしロッド４２の左側に位置しているところには掻き均し板４１が回転できるように装着され、前記掻き均し板４１が前記推し動かしロッド４２とヒンジにより装着され、これにより砂すくい板１８が回転して調整ロッド３３を連動させて回転させる時、調整ロッド３３が第三ベベルギヤ５５と第四ベベルギヤ５３とによりネジロッド５１を連動させて回転させ、ネジロッド５１が回転して推し動かしブロック４３を連動させて左右に移動させ、これにより推し動かしロッド４２が左右に移動して掻き均し板４１を連動させて回転させ、掻き均し板４１が砂を押す角度を調整する。
【００２７】
使用する時、砂すくい板１８が右方へ移動する過程において、砂やゴミなどを砂すくいチャンバ１７により選別機構１０１の中に送ることができ、砂とゴミとが絶えずにスクリーンクロス１６に輸送される時、モータ４７が起動して動力ロッド１３を連動させて回転させ、これによりローラー１５が回転し、スクリーンクロス１６が砂やゴミなどを連動させて左方へ移動させ、動力ロッド１３が回転して第二ギヤ４６を連動させて回転させる時、第二ギヤ４６がチェーン４９により第一ギヤ５０と回転ロッド３８とを連動させて回転させ、回転ロッド３８が回転して第二ベベルギヤ３９を連動させて回転させ、第二ベベルギヤ３９が第一ベベルギヤ４０との噛み合いにより偏心輪ロッド３７を連動させて回転させ、これにより偏心輪３５が回転してスクリーンクロス１６とぶつかり、これによりスクリーンクロス１６が振れて砂とゴミとを選別し、砂がスクリーンクロス１６により砂浜に落ち、スクリーンクロス１６の選別したゴミと石とが前記ゴミ箱１２の中に送られ、回転盤２４が回転する時、第三ギヤ２５が旋転ロッド２３と第三ギヤ２５とを連動させて回転させ、第三ギヤ２５がラック２９を連動させて左右に移動させ、ラック２９がヒンジ連結ロッド３０によりスライドブロック３１を連動させて左右に移動させ、スライドブロック３１が連結ロッド３２により砂すくい板１８を連動させて回転させ、砂すくい板１８が砂の中に入る深さを調整し、砂すくい板１８が回転して調整ロッド３３を連動させて回転させる時、調整ロッド３３が第三ベベルギヤ５５と第四ベベルギヤ５３とによりネジロッド５１を連動させて回転させ、ネジロッド５１が回転して推し動かしブロック４３を連動させて左右に移動させ、これにより推し動かしロッド４２が左右に移動して掻き均し板４１を連動させて回転させ、掻き均し板４１が砂を押す角度を調整する。
【００２８】
本発明の有益効果は：本発明は移動車により装置全体を連動させて移動させ、装置全体が移動する過程において、砂すくい板により砂やゴミなどをすくって選別機構の中に送り、選別機構の中のスクリーンクロスがゴミをゴミ箱に送る過程の中で、動力機構が偏心輪を連動させて回転させ、偏心輪がスクリーンクロスとぶつかり、これによりスクリーンクロスが振れ、砂とゴミとを分離させ、砂がスクリーンクロスにより砂浜に落ち、ゴミがゴミ箱の中に送られ、労働力を減らし、また、調整機構が砂すくい板の角度を調整でき、更に砂すくい板が砂の中に入る深さを調整し、これにより砂の奥に埋められたゴミまで処理でき、砂すくい板の角度を調整する時、調整ロッドの伝動により掻き均し板が回転し、これにより掻き均し板がいつまでも砂と接触し、選別した砂に掻き均す操作を行い、普及する価値がある。
【００２９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020204240.tif 000003
【図２】
2020204240.tif 000004
【図３】
2020204240.tif 000005
【図４】
2020204240.tif 000006
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
正面視で、前後対称のリミット板を含み、前後両側の前記リミット板の間には調整ロッドが回転できるように装着され、前記調整ロッドには砂すくい板が固定的に装着され、前記砂すくい板が前後両側の前記リミット板とスライドできるように装着され、前記砂すくい板の左側には砂とゴミを選別できる選別機構が設置され、前記砂すくい板が移動する過程において砂とゴミとを一緒に前記選別機構の中に送ることができ、前記選別機構は前後両側の前記リミット板の間に固定的に装着された固定ブロックを含み、前記固定ブロックの中には偏心輪ロッドが回転できるように装着され、前記偏心輪ロッドの右側には偏心輪が固定的に装着され、前記偏心輪ロッドと後側の前記リミット板との間には前記偏心輪ロッドを連動させて回転させることができる動力機構が設置され、前記選別機構はまたスクリーンクロスを含み、前記スクリーンクロスが砂とゴミとを選別でき、前記動力機構が前記スクリーンクロスの選別過程に動力を提供すると同時に前記偏心輪ロッドを連動させて回転させ、これにより前記偏心輪が回転し続けて前記スクリーンクロスとぶつかり、これにより前記スクリーンクロスが振れ、砂とゴミとを分離させ、前記砂すくい板の右側には前記砂すくい板が砂の奥へ砂をすくう深さを調整できる調整機構が設置され、
前後両側の前記リミット板の左側面には固定板が固定的に装着され、前後両側の前記固定板の間には輪が回転できるように装着され、
前記砂すくい板の中には砂すくいチャンバが設置され、
前記選別機構は動力チャンバと、モータと、動力ロッドと、補助ロッドと、ローラーと、スクリーンクロスとにより組み合わせられ、前記動力チャンバが後側の前記リミット板の中に設置され、前記動力チャンバの後側内壁の中にはモータが固定的に装着され、前記モータの前向きの出力軸の前側面には動力ロッドが固定的に装着され、前記動力ロッドが前方へ前側の前記リミット板の後側面まで伸びており、前後両側の前記リミット板の間のうち前記砂すくい板の下方に位置しているところには補助ロッドが回転できるように装着され、前記補助ロッドと前記動力ロッドにはローラーが固定的に装着され、前記スクリーンクロスが左右両側の前記ローラーの間に伝動できるように装着され、
前記動力機構は第一ベベルギヤと、回転ロッドと、第二ベベルギヤと、第一ギヤと、第二ギヤと、チェーンとにより組み合わせられ、前記第一ベベルギヤが前記偏心輪ロッドの左側面に固定的に装着され、前記動力チャンバの前側内壁の中には後側の前記リミット板の前側面を貫通している回転ロッドが回転できるように装着され、前記回転ロッドの前側面には第二ベベルギヤが固定的に装着され、前記第二ベベルギヤと前記第一ベベルギヤとが噛み合っており、前記第二ベベルギヤの後側面には第一ギヤが固定的に装着され、前記動力ロッドのうち前記動力チャンバの中に位置しているところには第二ギヤが固定的に装着され、前記第二ギヤと前記第一ギヤとの間にはチェーンが伝動できるように装着され
前後両側の前記リミット板の間のうち前記動力ロッドの下方に位置しているところにはゴミ箱が固定的に装着され、
前記調整機構は移動車と、ラックチャンバと、ラックと、回転チャンバと、旋転ロッドと、第三ギヤと、回転盤とにより組み合わせられ、前記移動車が前記砂すくい板の右側に設置され、前記移動車が装置全体を連動させて移動させ、前記移動車の中には左方へ開口したラックチャンバが設置され、前記ラックチャンバの中にはラックがスライドできるように装着され、前記ラックチャンバの前側には回転チャンバが連通するように設置され、前記回転チャンバの中には前記移動車の頂面を貫通している旋転ロッドが回転できるように装着され、前記旋転ロッドの底面には第三ギヤが固定的に装着され、前記第三ギヤが前記ラックと噛み合っており、前記旋転ロッドの頂面には回転盤が固定的に装着され、
前記ラックの左側にはヒンジ連結ロッドがヒンジにより装着され、前記移動車の左側面には伸縮箱が固定的に装着され、前記伸縮箱の底面にはスライドチャンバが設置され、前記スライドチャンバの中にはスライドブロックがスライドできるように装着され、前記スライドブロックが前記ヒンジ連結ロッドとヒンジにより装着され、前記砂すくい板の右側面には連結ロッドがヒンジにより装着され、前記連結ロッドが前記スライドブロックとヒンジにより装着され、前記伸縮箱の中には左方へ開口した伸縮チャンバが設置され、前記伸縮チャンバの中には伸縮ロッドがスライドできるように装着され、前記伸縮ロッドが前記砂すくい板とヒンジにより装着され、
前記調整ロッドの前後両側には噛み合いチャンバが対称的に設置され、前記調整ロッドが伸びて前記噛み合いチャンバの中に入っており、前記調整ロッドの前後両側面には第三ベベルギヤが固定的に装着され、前記第三ベベルギヤの左側にはネジ山チャンバが設置され、前記ネジ山チャンバの左側内壁の中には前記噛み合いチャンバの左側内壁を貫通しているネジロッドが回転できるように装着され、前記ネジロッドの右側面には第四ベベルギヤが固定的に装着され、前記第四ベベルギヤが前記第三ベベルギヤと噛み合っており、前後両側の前記リミット板の間のうち前記ゴミ箱の右下方に位置しているところにはリミットブロックが固定的に装着され、前記リミットブロックの中には推し動かしチャンバが設置され、前記推し動かしチャンバが前記ネジ山チャンバと連通しており、前後両側の前記ネジ山チャンバの間には推し動かしブロックがスライドできるように装着され、前記推し動かしブロックが前記ネジロッドとネジ山により装着され、前記推し動かしブロックの左側面には推し動かしロッドが固定的に装着され、前記推し動かしロッドが前記リミットブロックとスライドできるように装着され、前後両側の前記リミット板の間のうち前記推し動かしロッドの左側に位置しているところには掻き均し板が回転できるように装着され、前記掻き均し板が前記推し動かしロッドとヒンジにより装着されていることを特徴とする砂浜で使用される大型石とゴミとを処理する移動車。